(57)【特許請求の範囲】
【請求項１】
先端が軸を中心に突き合う方向にバネ付勢された湾状部と、該湾状部を前記バネに抗して拡開させる摘み部を設けてなる挟み部材を設け、該挟み部材の湾状部の先端で二つ折りした保温性ある布帛を折部側から挟み込み、該布帛をＷ字状に折返して湾状部を覆い、該湾状部の周囲の布帛を溶着又は縫製して耳を包み込む合わせ面を形成したことを特徴とする防寒用耳当て具。
【請求項２】
前記挟み部材の湾状部の先端が、発泡シートを介して布帛に当たっていることを特徴とする請求項１に記載の防寒用耳当て具。
【発明の詳細な説明】
【技術分野】
【０００１】
本発明は、耳の外耳道（耳の穴）を塞がない状態で耳を覆うように装着することのできる防寒用耳当て具に関するものである。
【背景技術】
【０００２】
一般に、防寒用耳当て具は、ヘッドホーンタイプのものが多い。このヘッドホーンタイプのものは、整えた髪を乱すばかりでなく、耳の外耳道を塞いでしまうために外部の音を聞き難くすることから嫌われていた。その代わりに、次の考え方のものが出現した。その１つ目は、実公昭６１−１９８２１７号公報のものであり、頂部に設けた軸を中心に拡開可能な２枚の板を設け、その板の内面側（耳側）に相対して保温材を取付け、該保温材で耳を挟み込めるようにしたものである。２つ目は、特願２００５−２６１８８２号公報のものであり、布を耳のサイズに合わせて立体的に裁断して作成し、耳にかぶせて使用するものである。
【特許文献１】実公昭６１−１９８２１７号公報
【特許文献２】特願２００５−２６１８８２号公報
【発明の開示】
【発明が解決しようとする課題】
【０００３】
しかしながら、前者（実公昭６１−１９８２１７号公報）のものは、２つの板を頂部の軸を中心に開放して耳を内外から挟むように使用するが、開いて耳に使用するときには両手を使わなければならず、大変に面倒であった。また、拡開可能な２枚の板には、イヤホーンを差し込むための穴があるが、この穴を利用してイヤホーンを差し込むと外部の音を遮断してしまった。一方、後者（特願２００５−２６１８８２号公報）のものは、コンパクト化に寄与でき、小さくなるので持ち運びにも便利であったが、耳への使用中に落ち易いし、ゴムやワイヤーで締め付けできる例も記載されているが、ゴムの場合には、これを器用に扱うことにより片手でも装着できることはあるが、通常では両手を使う必要があったし、ワイヤーの場合には、これを閉じるときに両手を使う必要があった。
【０００４】
本発明は、上記種々の課題を解決するもので、その目的とするところは、片手で耳に簡単に装着でき、しかも、コンパクト化及び持ち運びに便利でありながら、耳にしっかり固定でき、使用中に落ちてしまうことがなく、さらに外耳道（耳の穴）を塞がずに耳を覆うことのできる防寒用耳当て具を提供することにある。
【課題を解決するための手段】
【０００５】
上記目的を達成するため、本発明に係る防寒用耳当て具は、先端が軸を中心に突き合う方向にバネ付勢された湾状部と、該湾状部を前記バネに抗して拡開させる摘み部を設けてなる挟み部材を設け、該挟み部材の湾状部の先端で二つ折りした保温性ある布帛を折部側から挟み込み、該布帛をＷ字状に折返して湾状部を覆い、該湾状部の周囲の布帛を溶着又は縫製して耳を包み込む合わせ面を形成したことを特徴とし、片手で摘み部を摘んで挟み部材を拡開させ、保温性のある布帛の合わせ面で耳を包み込むことができるように構成した。
【０００９】
また、請求項２に係る防寒用耳当て具は、前記挟み部材の湾状部の先端が、発泡シートを介して布帛に当たっていることを特徴とし、耳への当たりをより和らげ、保温性がより高められるように構成した。
【発明の効果】
【００１１】
本発明によれば、片手で摘み部を摘んで挟み部材を拡開することにより保温性のある布帛により耳を簡単に覆うことができる。髪の毛が耳にかかっている場合でも眼鏡を掛けたままであっても、保温性のある布帛を拡開して耳に被せることができる。しかも、挟み部材の湾状部は、耳の外側の膨らみ部である耳輪及び対輪を跨ぐようになり、対輪の内側の窪みで固定することができるのでしっかり耳に装着できる。また、耳への装着は、耳の外耳道（耳の穴）を完全に塞ぐことがないので、本願耳当て具を装着していても電話をかけたり、とったりすることができるし、外部のいろんな音を塞いでしまうことがないという優れた効果を奏するものである。
【００１２】
また、保温性のある布帛として、フリースを用いたときは、フリースがポリエステル繊維などを起毛させて作った不織布であることから、生地自体が軽く、しかも、耳に柔らかく暖かく当てることができる。この場合、挟み部材の先端が布帛の合わせ面の内側に発泡シートを介して当たっているときは、耳への当たりがより和らげられ、保温性をより高められるという優れた効果を奏するものである。
【００１３】
さらに、布帛の合わせ面のうち、上縁を開放し、下縁を閉じているときは、耳の下側から髪の毛や眼鏡に邪魔されることなく装着することができるという優れた効果を奏するものである。
【発明を実施するための最良の形態】
【００１４】
次に、本発明の実施の態様について図面を参照して説明する。図１は本願耳当て具の一部切欠斜視図、図２は本願耳当て具を拡開した状態を示す斜視図、図３は本願耳当て具の製作順を示す斜視図で、（ａ）２つ折り布帛の折部を挟み部材で挟んだ状態、（ｂ）は布帛をＷ状に折った状態、図４は本願耳当て具の装着時の人の顔の正面図、図５は本願耳当て具を耳に装着した状態を想像線で示す正面図である。
【００１５】
本願耳当て具１は、図１の如く、挟み部材２と、該挟み部材２を被覆した保温性のある布帛３とからなる。前記挟み部材２は、先端（フィンガー状になっているがこれに限らない）が軸（図示せず）を中心に突き合うようにバネ（図示せず）付勢された湾状部２ａと、該湾状部２ａを前記バネに抗して拡開させるための摘み部２ｂとを備えている。前記挟み部材２の湾状部２ａは、左右２つが突き合うと筒状にてなる。これは耳の外側の膨らみ部である耳輪Ａ及び対輪Ｂを跨いでその内側の窪みＣで挟み込むことにより耳にしっかり装着(固定)できるようになっている。なお、前記挟み部材２として、ヘヤーアクセサリー用クリップが利用できるが、必ずしもこれに限定しない。このヘヤーアクセサリー用クリップの場合は、フィンガー状の先端が互いに噛み合って髪を掴めるようになっている。
【００１６】
前記挟み部材２は、図示のように湾状部２ａのみを被覆する以外に、その摘み部２ｂを含めて全体的に布帛３により被覆することもある。その方がデザイン的に良い場合もあるからである。勿論、図示の如く、前記挟み部材２のうち、摘み部２ｂを露出させていると、摘み易くなる利点がある。もっとも、摘み部２ｂを露出させても、その形状や色彩を工夫するか、飾り玉などを散り嵌めて装飾することによりデザイン価値をより高めるようにすることも可能である。
【００１７】
前記布帛３は、保温性がある限り、毛布調のものでも、ボア調のものでも良く、特に、限定しないが、フリースを用いることがより好ましい。すなわち、フリースは、ポリエステル繊維などを起毛させて作った不織布であって、一定の肉厚のものが使用される。フリースは生地自体、軽いし、ある程度ボリュームがあって耳に柔らかく暖かく当るものである。また、裁断したときに、裁断端にほつれがない点も使い勝手がよいものである。
【００１８】
前記布帛３は、図３（ａ）の如く、二つ折し、その折部側から挟み部材２の湾状部２ａの先端で挟み込む。しかる後、布帛３に記した破線（想像線）Ｈより矢印の如く折返しする。これにより同図（ｂ）の如く、布帛３はＷ字状に折った形となって湾状部２ａを覆う状態になる。このとき、湾状部２ａの先端（フィンガー状に示した例になっている）と布帛３との間には、予め、発泡シート４を介在させてもよい。すなわち、発泡シート４は、耳への装着（固定）時に、耳への当たりをより和らげるとともに、保温性をより高め得るようになるからである。
【００１９】
前記布帛３は、Ｗ字の両側のＶ部分の周囲を、湾状部２ａを囲むように熱溶着又は縫製により閉じられている。換言すれば、布帛３がプラスチック繊維からなるときは熱溶着できるし、熱溶着できないときは、縫製により閉じてもよい。また、Ｗ字の中央にある逆Ｖ部分は、耳を包み込むための合わせ面３ａ、３ｂになる。この布帛３の合わせ面は３ａ、３ｂは、１枚物の如く連続しているので、耳の外側の膨らみ部を巻き込み、かつ表裏を包み込む格好となる。
【００２０】
前記摘み部２ｂを手指（破線で示す）で摘んで湾状部２ａを拡開させたとき、布帛３の合わせ面３ａ、３ｂは、全体がＶ型に開いて耳を被包するようにするが、図２の場合には、合わせ面３ａ、３ｂのうち上縁３ｃを開放し、下縁３ｄを閉じてポケットにしている。これは、図４の如く、耳の下側から斜め上に突き上げるように装着できるようにするためである。こうすることにより、髪の毛が耳にかかっている場合でも、眼鏡を掛けたままであっても、髪の毛や眼鏡に邪魔されることなく正しく装着することが可能となる。
【００２１】
前記布帛３の合わせ面３ａ、３ｂの下縁３ｄを閉じる方法としては、布帛３がプラスチック繊維からなるときは熱溶着しても良い。また、熱溶着できないときは、縫製してもよい。このように、下縁３ｄを閉じてポケットにすると、図５の如く、耳の上側（頂縁部）Ｄを露出し、耳の下側（耳朶）Ｅをポケットに仕舞うように装着できることとなる。もっとも、耳はその一部（頂縁部でも耳朶でも）が被包されている限り、経験上、露出している他の部分には寒さによる「痛さ」を感じない。
【００２２】
次に、本願耳当て具１の使用方法を説明する。まず、本願耳当て具１の布帛３から露出している摘み部２ｂを摘んで挟み部材２を拡開させる。これにより被覆している布帛３はその合わせ面３ａ、３ｂが拡開するか、図示の場合には上縁３ｃのみが開放するようになっている。拡開した布帛３の合わせ面３ａ、３ｂで耳に被せることができる。したがって、髪の毛が耳にかかっている場合でも、また、眼鏡を掛けたままであっても、髪の毛や眼鏡に邪魔されることなく、正しく装着することができる。
【００２３】
上述の如く、布帛３の合わせ面３ａ、３ｂを耳に被せたら、摘み部２ｂを未だ摘んだままの状態、すなわち、湾状部２ａを開いたままの状態で耳をさぐり、湾状部２ａの先端が、耳輪Ａ及び対輪Ｂを跨いだ窪みＣのところで、摘み部２ｂの摘み力を解除することにより挟み部材２の湾状部２ａが閉じて布帛３を耳に当てた状態で装着（固定）されることとなる。
【００２４】
つまり、本願耳当て具１は、片手で摘み部２ｂを摘んで挟み部材２の湾状部２ａを拡開することにより保温性のある布帛３により耳に簡単に被せることができる。しかも、対向する湾状部２ａは、耳の外側の膨らみ部である耳輪Ａ及び対輪Ｂを跨いでその内側の窪みＣに固定できる上に、耳の外耳道（耳の穴）を塞ぐことがないので、布帛３で耳を覆いながら電話をかけたり、とったりできるので面倒がない。また、外部のいろんな音が聞こえるので耳に装着しながら街歩きしても危険がない。
【００２５】
また、保温性のある布帛３として、フリースを用いたときは、軽量で耳を柔らかく暖かく覆うことができる。この場合、湾状部２ａの先端（フィンガー状）が布帛に、発泡シート４を介して当るように構成したときは、耳への当たりをより和らげ、保温性をより高め得ることができる。
【００２６】
さらに、布帛３の合わせ面３ａ、３ｂのうち、上縁を開放し、下縁を閉じてポケットにしたときは、髪の毛が耳にかかっている場合でも、また、眼鏡を掛けたままであっても、耳の下側から髪の毛や眼鏡に邪魔されることなく装着することができる。
【産業上の利用可能性】
【００２７】
本願は、片手で耳に簡単に装着でき、しかも、コンパクト化及び持ち運びに便利でありながら、耳にしっかり固定でき、使用中に落ちてしまうことがなく、さらに外耳道（耳の穴）を塞がずに耳を覆うことのできる防寒用耳当て具であり、通勤（特に自転車通勤）、散歩、ジョギングなどにおいて有効である上に、挟み部材の生産者、布帛の生産者その他、広く産業上の利用可能性は高いものである。
【図面の簡単な説明】
【００２８】
【図１】本願耳当て具の一部切欠斜視図である。
【図２】本願耳当て具を拡開した状態を示す斜視図である。
【図３】本願耳当て具の製作順を示す斜視図で、（ａ）２つ折り布帛の折部を挟み部材で挟んだ状態、（ｂ）は布帛をＷ状に折った状態である。
【図４】本願耳当て具の装着時の人の顔の正面図である。
【図５】本願耳当て具を耳に装着した状態の正面図である。
【符号の説明】
【００２９】
１  本願耳当て具
２  挟み部材
２ａ  湾状部
２ｂ  摘み部
３  布帛
３ａ、３ｂ  合わせ面
３ｃ  上縁
３ｄ  下縁
４  発泡シート
Ａ  耳輪
Ｂ  対輪
Ｃ  窪み
Ｄ  耳の上側（頂部）
Ｅ  耳の下側（耳朶）
Ｈ  破線（想像線）
【図１】
0005590749.tif 000002
【図２】
0005590749.tif 000003
【図３】
0005590749.tif 000004
【図４】
0005590749.tif 000005
【図５】
0005590749.tif 000006